(57)【要約】【課題】記憶手段に記憶されたコンテンツの中から表示手段の表示内容に基づいて所望のコンテンツを選択する際、コンテンツとともにコンテンツを特定する単一又は複数のコンテンツ情報及び各コンテンツ情報の項目名を表すタイトルを用いて上記表示手段の選択画面の表示を行うことで、記憶手段に記憶されるコンテンツ数が増加しても選択時間が長くなることがなく、操作者の負担を軽減する。【解決手段】コンテンツ選択モードにおいて、メモリカード１０に記憶されたコンテンツに割り当てられた表示領域を選択自在に表示するコンテンツ表示部３２、操作者に選択されたタイトルを表示するタイトル表示部３０及びコンテンツ表示部３２において選択された表示領域に対応するコンテンツの上記タイトルのコンテンツ情報を表示するコンテンツ情報表示部３１を含む選択画面を作成し、表示領域を上記タイトルのコンテンツ情報毎に異なる表示態様で表示する。【選択図】図５
2004145388.tif 000002
【特許請求の範囲】
【請求項１】
それぞれが再生可能なデータによって構成された単一又は複数のコンテンツを記憶手段に記憶し、表示手段の表示内容に基づく操作手段の入力操作によって選択されたコンテンツを記憶手段から読み出して再生手段で再生する携帯再生装置において、
前記記憶手段に各コンテンツを特定する単一又は複数のコンテンツ情報を各コンテンツ情報の項目名を表すタイトルとともに各コンテンツ毎に記憶し、
再生すべきコンテンツの選択時に、記憶手段に記憶されている全てのコンテンツ毎に個別に割り当てられた表示領域を択一的に選択自在にして表示するコンテンツ表示部と、記憶手段に記憶されているタイトルのうちコンテンツ表示部における各表示領域の峻別に使用すべき単一のコンテンツ情報のタイトルを変更自在にして表示するタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面を作成し、タイトル表示部に表示すべきタイトルの選択操作を受け付け、コンテンツ表示部の各表示領域をタイトル表示部に表示しているタイトルのコンテンツ情報毎に異なる表示態様で表示する表示制御手段を設けたことを特徴とする携帯再生装置。
【請求項２】
前記表示制御手段は、コンテンツの選択時に、前記コンテンツ情報表示部に表示しているコンテンツ情報によって特定されるコンテンツが割り当てられている表示領域のみ又はそれ以外の表示領域のみを前記コンテンツ表示部に択一的に選択自在にして表示することを特徴とする請求項１に記載の携帯再生装置。
【請求項３】
前記コンテンツは、表示手段に表示される画像データによって構成され、
前記表示制御手段は、コンテンツの選択時に、前記選択画面とともにコンテンツ表示部において選択された表示領域に対応するコンテンツを構成する画像データを表示手段に表示することを特徴とする請求項１に記載の携帯再生装置。
【請求項４】
画像を撮像する撮像手段を備え、
撮像手段から出力された画像データによって構成されるコンテンツを記憶手段に記憶することを特徴とする請求項３に記載の携帯再生装置。
【請求項５】
ネットワークを介してサーバと通信してコンテンツをダウンロードする通信手段を備え、
前記通信手段を介してサーバから各コンテンツとともに、コンテンツ情報及びタイトルをダウンロードし、記憶手段に記憶することを特徴とする請求項１〜３の携帯再生装置。
【請求項６】
前記記憶手段は、装置本体から着脱自在であることを特徴とする請求項１に記載の携帯再生装置。
【請求項７】
表示手段の表示内容に基づく操作手段の入力操作によって、それぞれが再生可能なデータによって構成された単一又は複数のコンテンツの選択を受け付ける時に、前記表示手段に表示すべき表示画面を作成するコンテンツ選択画面表示方法において、
選択可能な全てのコンテンツ毎に個別に割り当てられた表示領域を択一的に選択自在にして表示するコンテンツ表示部と、コンテンツ表示部における各表示領域の峻別に使用すべき単一のコンテンツ情報の項目名を表すタイトルを変更自在にして表示するタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面を作成し、タイトル表示部に表示すべきタイトルの選択操作を受け付け、コンテンツ表示部の各表示領域をタイトル表示部に表示しているタイトルのコンテンツ情報毎に異なる表示態様で表示することを特徴とするコンテンツ選択画面表示方法。
【請求項８】
それぞれが再生可能なデータによって構成された単一又は複数のコンテンツをネットワークを介してサーバからダウンロードして再生を行う受信システムにおいて、
請求項５又は６に記載の携帯再生装置を含み、各コンテンツとともにサーバからダウンロードした各コンテンツを特定する単一又は複数のコンテンツ情報及び各コンテンツ情報の項目名を表すタイトルを記憶手段に記憶することを特徴とする受信システム。
【発明の詳細な説明】
【０００１】
【発明の属する技術分野】
この発明は、オーディオプレーヤ、ディジタルカメラ、情報処理端末等のコンテンツを再生する携帯再生装置、この携帯再生装置の表示手段におけるコンテンツの選択時の画面の表示方法及びサーバからネットワークを介してコンテンツを携帯再生装置にダウンロードする受信システムに関する。
【０００２】
【従来の技術】
従来、携帯再生装置としては、例えばオーディオプレーヤ、ディジタルカメラ、携帯情報端末、携帯電話等の固定又は着脱自在にした装置・メディア等からなる記憶手段に格納された画像データや楽曲等のコンテンツから操作者が所望のコンテンツを選択するとともに再生等を行うものがある（例えば、特許文献１参照。）。
【０００３】
近年、携帯再生装置で使用される上記コンテンツを記憶する記憶手段の記憶容量は増加する傾向にあり、その代表例として、半導体技術進歩による半導体メモリの記憶容量の増加、微細制御技術の進歩によるハードディスクの小型化及び容量の増加、新規技術開発によるＤＶＤディスク等の大容量ディスクが挙げられる。
【０００４】
また、記憶手段に格納されるコンテンツに関しても、音声・画像データに関してはＡＡＣ、ＡＴＲＡＣ３、ＷＭＡ、ＭＰＥＧ４等の圧縮技術が開発される等、圧縮技術の進歩により、１コンテンツあたりのデータ量の削減により同一記憶容量の記憶手段でも従来に比べると格納できるコンテンツの数が増加している。
【０００５】
記憶容量が増加する例としては、メモリカード方式のオーディオプレーヤの場合は、ＡＴＴＲＡＣ３の１３２Ｋｂｐｓ圧縮の場合、６４ＭＢカードで従来約６０分の記憶時間が、１２８ＭＢカードになることにより単純に約１２０分に延長される。これは、１曲を４分として換算すると３０曲分に相当する。また、２５６ＭＢカードでは、２４０分に延長され、同じく６０曲分に相当する。さらに、２５６ＭＢカードで６６Ｋｂｐｓ圧縮の場合は、４８０分に延長され、１２０曲分に相当する。
【０００６】
一方、圧縮技術の進歩によりコンテンツのデータ量の削減の例として、ＭＤプレーヤの場合は、８０分ＤＩＳＣで従来技術のＡＴＴＲＡＣ圧縮を用いると４分の曲で２０曲の記憶が可能であり、それに対して新規圧縮技術のＡＴＴＲＡＣ３（ＬＰ２）では４０曲、ＡＴＴＲＡＣ３（ＬＰ４）では８０曲が記憶可能になった。
【０００７】
また、携帯型のハードディスクオーディオ等のＧＢ（ギガバイト）単位の記憶容量の音楽プレーヤも市販されている。
【０００８】
上記の記憶手段の記憶容量の増加及びデータの圧縮技術の進歩により、一つの記録媒体等に記憶するコンテンツの数が増加し、ユーザにおいては、記録媒体をいくつも保持する必要がなくなり、記録媒体の整理等の負担が軽減された。
【０００９】
一方、記憶手段に記憶されているコンテンツの管理は、対象コンテンツを階層化せずに管理する手段と、階層化して管理する手段があり、各々の管理手段に対してそれぞれ異なったコンテンツの選択方法がある。
【００１０】
階層化しないコンテンツの管理手段が適用されている例として、オーディオプレーヤやディジタルカメラがある。例えば、オーディオプレーヤでは、選択対象のコンテンツである楽曲に固付のコンテンツ情報（例えば、曲名。）を表示装置に表示するようにしており、ユーザはＦＦキーやＲＥＷキー等の曲選択キーを操作することによって表示装置に表示されている複数のコンテンツ情報を参照して所望の楽曲を選択する。ディジタルカメラでは、選択対象のコンテンツである画像を表示装置に表示するようにしており、ユーザでは画像選択キーを操作することによって表示装置に表示されている複数の画像から所望の画像を選択する。
【００１１】
一方、階層化したコンテンツ管理手段が適用されている例として、フォルダ構成により階層化を実現している携帯情報端末がある。携帯情報端末のコンテンツ選択方法は、選択されたフォルダに格納されたコンテンツやフォルダ等の一覧を表示させ、所望のコンテンツが無ければ、上層又は下層フォルダを選択することによりフォルダを移動して所望のコンテンツを探索する。
【００１２】
【特許文献１】
特開２００２−１２４０６５
【発明が解決しようとする課題】
しかしながら、上記の階層化しないコンテンツ管理手段でのコンテンツ選択方法では、記憶手段に記憶されるコンテンツ数の増加に比例してコンテンツの選択に時間がかかってしまう。例えば、上述した例のように記憶手段である２５６ＭＢカードに１２０曲の楽曲が記憶されている場合、曲名のみに基づいて所望の楽曲を選択するのは時間がかかり、操作者にとって非常に負担のかかる作業となる。
【００１３】
また、階層化したコンテンツ管理手段でのコンテンツ選択方法でも、記憶手段に記憶されるコンテンツ数の増加に比例して、個々のフォルダ内のコンテンツ数及びフォルダ数が増加するため、所望のコンテンツを選択するのに時間がかかってしまう。
【００１４】
この発明の目的は、記憶手段に記憶されたコンテンツの中から表示手段の表示内容に基づいて所望のコンテンツを選択する際、コンテンツとともにコンテンツを特定する単一又は複数のコンテンツ情報及び各コンテンツ情報の項目名を表すタイトルを用いて上記表示手段の選択画面の表示を行うことで、記憶手段に記憶されるコンテンツ数が増加しても選択時間が長くなることがなく、操作者の負担を軽減することができるコンテンツ選択画面表示方法、携帯再生装置及び受信システムを提供することにある。
【００１５】
【課題を解決するための手段】
この発明は、上記の課題を解決するために、以下の構成を備えている。
【００１６】
（１）それぞれが再生可能なデータによって構成された単一又は複数のコンテンツを記憶手段に記憶し、表示手段の表示内容に基づく操作手段の入力操作によって選択されたコンテンツを記憶手段から読み出して再生手段で再生する携帯再生装置において、
前記記憶手段に各コンテンツを特定する単一又は複数のコンテンツ情報を各コンテンツ情報の項目名を表すタイトルとともに各コンテンツ毎に記憶し、
再生すべきコンテンツの選択時に、記憶手段に記憶されている全てのコンテンツ毎に個別に割り当てられた表示領域を択一的に選択自在にして表示するコンテンツ表示部と、記憶手段に記憶されているタイトルのうちコンテンツ表示部における各表示領域の峻別に使用すべき単一のコンテンツ情報のタイトルを変更自在にして表示するタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面を作成し、タイトル表示部に表示すべきタイトルの選択操作を受け付け、コンテンツ表示部の各表示領域をタイトル表示部に表示しているタイトルのコンテンツ情報毎に異なる表示態様で表示する表示制御手段を設けたことを特徴とする。この構成においては、コンテンツの選択時に、全てのコンテンツ毎に個別に割り当てられた表示領域が択一的に選択自在に表示されるコンテンツ表示部と、上記タイトルのうちコンテンツ表示部における各表示領域の峻別に用いられる単一のコンテンツ情報のタイトルが変更自在に表示されるタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面が表示され、タイトル表示部に表示すべきタイトルを選択すると、コンテンツ表示部の各表示領域が選択したタイトルのコンテンツ情報毎に異なる表示態様で表示される。
【００１７】
したがって、選択された表示領域に対応するコンテンツのコンテンツ情報のうちタイトル表示部に表示されているタイトルのコンテンツ情報がコンテンツ情報表示部に表示されるので、選択された表示領域の上記タイトルのコンテンツ情報がすぐに操作者に認識され、また各表示領域がタイトル表示部に表示されているタイトルのコンテンツ情報毎に異なる表示態様で表示されるので、操作者が所望するコンテンツが上記コンテンツ情報を有している場合、上記選択された表示領域の表示態様で表示されている表示領域のみに選択範囲が限定されるので、コンテンツの選択時間が長くなることがない。一方、操作者が所望するコンテンツが上記コンテンツ情報を有していない場合、上記選択された表示領域の表示態様以外の表示態様で表示されている表示領域のみに選択範囲が限定されるので、コンテンツの選択時間が短縮される。
【００１８】
（２）前記表示制御手段は、コンテンツの選択時に、前記コンテンツ情報表示部に表示しているコンテンツ情報によって特定されるコンテンツが割り当てられている表示領域のみ又はそれ以外の表示領域のみを前記コンテンツ表示部に択一的に選択自在にして表示することを特徴とする。
【００１９】
この構成においては、コンテンツの選択時に、コンテンツ情報表示部に表示されているコンテンツ情報を有するコンテンツが割り当てられている表示領域のみ又はそれ以外の表示領域のみがコンテンツ表示部に択一的に選択自在にして表示される。したがって、操作者が特定の表示領域を選択した際に、コンテンツ表示部に表示されたコンテンツ情報が操作者の所望するコンテンツのコンテンツ情報の中に含まれている場合、操作者の選択によってコンテンツ情報表示部に表示されたコンテンツ情報を有するコンテンツが割り当てられている表示領域のみがコンテンツ表示部に表示されるので、コンテンツの選択範囲が限定され、コンテンツの選択時間が短縮される。一方、上述のコンテンツ情報表示部に表示されたコンテンツ情報が操作者の所望するコンテンツに含まれていない場合、操作者の選択によってコンテンツ情報表示部に表示されたコンテンツ情報を有しないコンテンツが割り当てられた表示領域のみがコンテンツ表示部に表示されるので、コンテンツの選択範囲が限定され、コンテンツの選択時間が短縮される。
【００２０】
（３）前記コンテンツは、表示手段に表示される画像データによって構成され、
前記表示制御手段は、コンテンツの選択時に、前記選択画面とともにコンテンツ表示部において選択された表示領域に対応するコンテンツを構成する画像データを表示手段に表示することを特徴とする。
【００２１】
この構成においては、画像データで構成されるコンテンツの選択時に、選択された表示領域に対応するコンテンツの画像データが表示手段に選択画面とともに表示される。したがって、選択された表示領域のコンテンツの画像の内容が操作者に認識されやすくなるので、操作者が所望するコンテンツを選択する時間が短縮される。
【００２２】
（４）画像を撮像する撮像手段を備え、
撮像手段から出力された画像データによって構成されるコンテンツを記憶手段に記憶することを特徴とする。
【００２３】
この構成においては、装置本体に備えられた撮像手段によって撮像された画像データが選択対象となるコンテンツとして記憶手段に記憶される。したがって、コンテンツの選択時に、選択された表示領域に対応する撮像された画像のコンテンツが表示手段に選択画面とともに表示され、選択された表示領域のコンテンツの画像の内容が操作者に認識されやすくなるので、操作者が所望するコンテンツを選択する時間が短縮される。
【００２４】
（５）ネットワークを介してサーバと通信してコンテンツをダウンロードする通信手段を備え、
前記通信手段を介してサーバから各コンテンツとともに、コンテンツ情報及びタイトルをダウンロードし、記憶手段に記憶することを特徴とする。
【００２５】
この構成においては、装置本体に備えられた通信手段を介してサーバからコンテンツとともにコンテンツ情報及びタイトルがダウンロードされ、記憶手段に記憶される。したがって、ダウンロードされるコンテンツとともに、上記コンテンツに対応する適切なコンテンツ情報及びタイトルもダウンロードされるため、コンテンツ情報及びタイトルを作成する必要がなく、操作者の負担が増大することがない。
【００２６】
（６）前記記憶手段は、装置本体から着脱自在であることを特徴とする。
【００２７】
この構成においては、装置本体から着脱自在な記憶手段に前記コンテンツ、コンテンツ情報及びタイトルが記憶される。したがって、他の装置でも上記記憶手段の使用が可能であり、コンテンツを取得する手段を有しない携帯再生装置であっても、あらかじめ他の装置でコンテンツ、コンテンツ情報及びタイトルが記憶された記憶手段を装着することでコンテンツの再生が行われる。そのため、コンテンツ、コンテンツ情報及びタイトルを作成する必要がなく、操作者の負担が増大することがない。
【００２８】
（７）表示手段の表示内容に基づく操作手段の入力操作によって、それぞれが再生可能なデータによって構成された単一又は複数のコンテンツの選択を受け付ける時に、前記表示手段に表示すべき表示画面を作成するコンテンツ選択画面表示方法において、
選択可能な全てのコンテンツ毎に個別に割り当てられた表示領域を択一的に選択自在にして表示するコンテンツ表示部と、コンテンツ表示部における各表示領域の峻別に使用すべき単一のコンテンツ情報の項目名を表すタイトルを変更自在にして表示するタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面を作成し、タイトル表示部に表示すべきタイトルの選択操作を受け付け、コンテンツ表示部の各表示領域をタイトル表示部に表示しているタイトルのコンテンツ情報毎に異なる表示態様で表示することを特徴とする。
【００２９】
この構成においては、コンテンツの選択時に、全てのコンテンツ毎に個別に割り当てられた表示領域が択一的に選択自在に表示されるコンテンツ表示部と、上記タイトルのうちコンテンツ表示部における各表示領域の峻別に用いられる単一のコンテンツ情報のタイトルが変更自在に表示されるタイトル表示部と、コンテンツ表示部において選択された表示領域に対応するコンテンツのコンテンツ情報のうちタイトル表示部に表示されているタイトルのコンテンツ情報を表示するコンテンツ情報表示部と、を含む選択画面が表示され、タイトル表示部に表示すべきタイトルを選択すると、コンテンツ表示部の各表示領域が選択したタイトルのコンテンツ情報毎に異なる表示態様で表示される。
【００３０】
したがって、選択された表示領域に対応するコンテンツのコンテンツ情報のうちタイトル表示部に表示されているタイトルのコンテンツ情報がコンテンツ情報表示部に表示されるので、選択された表示領域の上記タイトルのコンテンツ情報がすぐに操作者に認識され、また各表示領域がタイトル表示部に表示されているタイトルのコンテンツ情報毎に異なる表示態様で表示されるので、操作者が所望するコンテンツが上記コンテンツ情報を有している場合、上記選択された表示領域の表示態様で表示されている表示領域のみに選択範囲が限定されるので、コンテンツの選択時間が長くなることがない。一方、操作者が所望するコンテンツが上記コンテンツ情報を有していない場合、上記選択された表示領域の表示態様以外の表示態様で表示されている表示領域のみに選択範囲が限定されるので、コンテンツの選択時間が短縮される。
【００３１】
（８）それぞれが再生可能なデータによって構成された単一又は複数のコンテンツをネットワークを介してサーバからダウンロードして再生を行う受信システムにおいて、
（５）又は（６）に記載の携帯再生装置を含み、各コンテンツとともにサーバからダウンロードした各コンテンツを特定する単一又は複数のコンテンツ情報及び各コンテンツ情報の項目名を表すタイトルを記憶手段に記憶することを特徴とする。
【００３２】
この構成においては、ネットワークを介してサーバからダウンロードされるコンテンツが再生される受信システムに、（５）に記載の通信手段が備えられた携帯再生装置又は（６）に記載の装置本体から着脱自在な記憶手段が備えられた携帯再生装置が含まれ、各コンテンツとともにサーバからダウンロードしたコンテンツ情報及びタイトルが記憶手段に記憶される。
【００３３】
したがって、（５）に記載の通信手段を有する携帯再生装置において、ダウンロードされるコンテンツとともに、上記コンテンツに対応する適切なコンテンツ情報及びタイトルもダウンロードされるため、コンテンツ情報及びタイトルを作成する必要がなく、操作者の負担が増大することがない。
【００３４】
また、（６）に記載の装置本体から着脱自在な記憶手段が備えられている携帯再生装置において、上記記憶手段が着脱自在なので、他の装置でも上記記憶手段の使用が可能であり、コンテンツを取得する手段を有しない場合であっても、あらかじめ他の装置でコンテンツ、コンテンツ情報及びタイトルが記憶された記憶手段を装着することでコンテンツの再生が行われる。そのため、コンテンツ、コンテンツ情報及びタイトルを作成する必要がなく、操作者の負担が増大することがない。
【００３５】
【発明の実施の形態】
以下にこの発明の実施形態に係る携帯再生装置の一例としてポータブルオーディオプレーヤについて説明する。
【００３６】
図１は、この発明の実施形態に係るポータブルオーディオプレーヤの外観図である。
【００３７】
図１に示すように、楽曲等の音情報を再生するポータブルオーディオプレーヤ１は、記憶部２、ディスプレイ３、操作手段４、及びヘッドホン１８等の出力手段と接続するための接続部１９を備えている。
【００３８】
記憶部２は、フラッシュメモリ等から構成される記録媒体であるメモリカード１０及びメモリカード１０に楽曲等のコンテンツのデータの読出・書込等を行い、後述する制御部にコンテンツのデータを入力するリムーバブル型機器１１等から構成される。また、ディスプレイ３は、メモリカード１０に記憶されたコンテンツのコンテンツ情報等を表示するこの発明の表示手段であり、詳細は後述する。操作手段４は、コンテンツの選択を行うＲＥＷ１２キー、ＦＦ１３キー、コンテンツの再生・停止を行うＰＬＡＹキー１４、ＳＴＯＰキー１５、また再生時間表示や再生中のコンテンツの曲名表示等のディスプレイ３の表示を切り換えるＤＩＳＰキー１６、各機能を実行するモードを切り換えるＭＯＤＥキー１７等から構成される。
【００３９】
なお、メモリカード１０は、この発明の記憶手段に相当する。
【００４０】
音楽コンテンツをポータブルオーディオプレーヤ１に再生させるために、まずコンテンツをメモリカード１０に記憶させる。図２に示すように、データを記憶可能なポータブルオーディオプレーヤ１と同様の記憶部２を有し、インターネット等へネットワーク接続するための通信手段５を有する携帯電話５０や携帯パーソナルコンピュータ５１等の他の装置から、楽曲等のコンテンツの配信を行っているサーバ６０等にインターネット経由で接続し、操作者が所望するコンテンツ、さらに上記コンテンツを特定するコンテンツ情報及び上記コンテンツ情報の項目を表すタイトルの情報をメモリカード１０にダウンロードする。
【００４１】
次にコンテンツが記憶されたメモリカード１０をポータブルオーディオプレーヤ１のリムーバブル型機器１１に装着し、ＭＯＤＥ１７キーを押下して再生したいコンテンツの選択を受け付けるコンテンツ選択モードに切り換えてディスプレイ３に表示されたコンテンツ情報をもとにコンテンツを操作手段４の各キーを押下して選択し、ＭＯＤＥキー１７を押下してプレイリスト登録モードに切り換え、選択したコンテンツのプレイリスト（再生リスト）を登録させる。登録されたプレイリストの一つを選択してプレイリストに登録されたコンテンツを再生させる。
【００４２】
図３に示すように、コンテンツ情報はダウンロードされるコンテンツを特定する単一又は複数の属性情報等で構成され、タイトルはコンテンツ情報の各項目名を表す。属性情報は、項目名（タイトル）がアルバム名及び曲名のようにコンテンツ作成時に生成されるコンテンツ自体の情報と、使用者が最後に再生した年月日情報や再生回数等の使用上の付帯情報等から構成される。使用上の付帯情報のうち再生日付等のように使用（再生）時に更新されるものは、コンテンツ情報のダウンロード時には初期値が設定され、音楽コンテンツが使用（再生）されるたびに後述する制御部によって更新される。また、タイトルには並び順に対して一連のタイトル番号が割り振られ、後述するタイトル選択モードでタイトルの切り換えを行う際に使用される。例えば、図３に示すように、タイトル番号であるタイトル１はアルバム名、タイトル２は曲番である。
【００４３】
なお、タイトルの内容、数、タイトル番号、コンテンツ情報の設定については、図３に示したものに限らず、各機器の仕様等に応じて決定するのがよい。
【００４４】
図４に示すように、コンテンツ選択モードにて音楽コンテンツを選択する際のディスプレイ３には、タイトルを表示するタイトル表示部３０、コンテンツ情報を表示するコンテンツ情報表示部３１及びコンテンツを表示するコンテンツ表示部３２等で選択画面が構成されている。
【００４５】
この発明の実施形態に係るディスプレイ３は、６４×９６ドットの白黒ディスプレイであるがこれに限定されるものではなく、カラー表示の場合はさらに視認性が向上することにより操作性の向上が図れる。
【００４６】
タイトル表示部３０及びコンテンツ情報表示部３１は、合わせて漢字対応の１文字あたり６×１２ドットで最大１０文字の表示が可能で、コンテンツ表示部３２は、８×１０＝８０個で１個あたり８×８ドットの領域に分割され、個々の分割された領域をコンテンツの表示領域としてメモリカード１０に記憶されている全てのコンテンツにそれぞれ割り当てる。また、各表示領域は８×８ドットの矩形から構成される。コンテンツ表示部３２には表示領域を選択するためのカーソル３３が備えられ、操作手段４のキーを用いてコンテンツ表示部３２内を移動させる。カーソル３３を介して選択された表示領域は太枠や反転表示等による強調表示が行われる。
【００４７】
なお、ディスプレイ３の画素の行方向の９６ドットうち１２＋８０＝９２ドット使用され、余った４ドット分はタイトル表示部３０及びコンテンツ情報表示部３１とコンテンツ表示部３２との境界表示やコンテンツ表示部３２内での選択対象の表示領域の強調表示等に用いることが可能である。
【００４８】
タイトル表示部３０は、図５に示すように、操作者によって選択されたタイトルを表示し、コンテンツ情報表示部３１は、カーソル３３を介して選択された表示領域のタイトル表示部３０に表示されたタイトルのコンテンツ情報が表示される。
【００４９】
一方、コンテンツが割り当てられた複数の表示領域の矩形は、タイトル表示部３０に表示されたされたタイトルのコンテンツ情報に対応する表示態様で表示される。例えば、図５に示すようにタイトルがアルバム名である場合、アルバム名が異なる表示領域の矩形は異なる表示態様で表示される。また、表示態様に用いられる液晶用表示フォントは、図５のような表示フォントに限らず、図６に示すような文字フォントのように各表示領域の矩形が認識しやすいものであればよい。
【００５０】
また、各タイトルにおけるコンテンツ情報の種類が表示態様の種類より少ない場合は、コンテンツ情報毎に表示態様を割り当てる。各タイトルにおけるコンテンツ情報の種類が表示態様の種類より多い場合は、同じコンテンツ情報を有するコンテンツの数が多い種類から順に、表示態様の種類の総数から１を減じた数だけ割り当てる。表示態様に個別に割り当てできなかったコンテンツ情報の種類は、集合パターンとして一括して残り１種の表示態様が割り当てられる。
【００５１】
なお、コンテンツ数が、１画面分（この発明の実施形態では８０コンテンツ分。）を越える場合は、スクロール又は画面切り換えにより表示を行う。
【００５２】
コンテンツ選択モード中の操作手段４の各キーについて、図７に示すように、ＲＥＷキー１２及びＦＦキー１３は表示領域上のカーソル３３等の降順方向及び昇順方向の移動を受け付け、ＰＬＡＹキー１４はカーソル３３が指し示す表示領域の選択等の決定を受け付ける。ＳＴＯＰキー１５は、選択された表示領域の削除を受け付ける。また、ＤＩＳＰキー１６は、コンテンツ選択モードを構成している表示領域上のカーソル３３を移動させるカーソル移動モード又はタイトル表示部に表示するタイトルを選択するタイトル選択モードの切り換えを受け付け、ＭＯＤＥキー１７は、コンテンツ選択モードや再生モード等のモードの選択を受け付ける。
【００５３】
カーソル３３の移動処理としては、コンテンツ情報表示部３１の表示の実施・省略により移動速度を切り換える、つまりカーソル３３の移動とともに、移動中のカーソル３３の指し示す表示領域のコンテンツ情報をコンテンツ情報表示部３１に表示させる低速移動モード又は表示させない高速移動モードを選択的に実行する移動方法と、カーソル３３を介して選択された表示領域におけるタイトル表示部に表示されたタイトルのコンテンツ情報と異なるコンテンツ情報を有するコンテンツまでジャンプするジャンプモード等の移動方法とがあり、いずれか１つ又は両方を組み合わせて用いることもできる。上記移動手段を全て実装した場合は、各々の移動手段の操作方法としては、例えばＦＦキーを１回押下毎にジャンプモードの移動を実施し、短時間の連続押下により低速移動モード、長時間の連続押下により高速移動モードを実施する。これにより、カーソル３３の移動が効率的になり、操作者が所望するコンテンツをより検索しやすくなり、コンテンツの選択時間を短縮することができる。
【００５４】
また、カーソル３３の表示領域の移動毎にＢＥＥＰ音を出力させてもよい。これにより高速、低速等の移動状況を使用者に、より明確に認識させることができる。
【００５５】
なお、この発明の実施形態では、一般的なポータブルオーディオプレーヤに標準的に装備されているＦＦキー１２やＲＥＷキー１３等の操作キーが配置されているが、各々の機能及び名称を限定するものではなく、新たなキーを配置してもよい。図８に示すように、ジョイスティック、十字キー等の上下キーを配置した場合では、上下キーを用いてカーソル３３の列方向の移動を行うことができ、カーソル３３の移動が効率的になり、選択したい音楽コンテンツをより選択しやすくなり、コンテンツの選択時間をより短縮することができる。
【００５６】
図９は、この発明の実施形態に係るポータブルオーディオプレーヤの制御系統のブロック図である。
【００５７】
図９に示すように、ポータブルオーディオプレーヤ１は、装置全体の動作を制御する制御部６を備えている。制御部６は、一部に表示制御手段を有し、記憶部２、ディスプレイ３、操作手段４、ドライバ７及びＤＩＳＰ．ＯＵＴ８に接続している。操作手段４は、再生モードやコンテンツ選択モード、タイトル選択モードやカーソル移動モード等のモード切り換えをＤＩＳＰキー１６又はＭＯＤＥキー１７の押下に基づいて受け付ける。その際、制御部６は、操作手段４からのモード変更の出力信号を受信してモード変更を行う。再生モード中、ドライバ７及び接続部１９等から構成される再生手段は、メモリカード１０に記憶されているコンテンツを登録されたプレイリストに基づいてドライバ７及び接続部１９を介してヘッドホン１８等に再生する。その際、制御部６は、再生されるコンテンツの再生用のデータをドライバ７へ送信する。
【００５８】
制御部６は、コンテンツ選択モード中のタイトル選択モード時に、ＲＥＷキー１２等の押下に基づいて操作者が所望するタイトルを選択するとともにタイトル表示部３０に表示し、カーソル移動モード時にＲＥＷキー１２等の押下に基づいてコンテンツ表示部３２上のカーソル３３を移動させて、選択された表示領域のタイトル表示部３０に表示されたタイトルのコンテンツ情報をコンテンツ情報表示部３１に表示する。
【００５９】
また、制御部６は、図１６に示すような操作者の選択の対象となるコンテンツの選択対象コンテンツ情報リストを作成する。対象タイトル選択リスト中の「選択内番号」は、上記リスト内のコンテンツ毎に付与されるコンテンツの管理番号で、コンテンツ表示部３２における各コンテンツの表示領域の位置情報に使用される。コンテンツの表示位置は、図７に示すように表示領域内で表示された行番号及び列番号で決定される。選択内番号が８０までのコンテンツは１画面に表示でき、８０を越えるコンテンツは次画面以降の表示となる。選択内番号を８で除した商の値が行番号、余りが列番号に用いられる（余り０は８番目）。「番号」は、メモリカード１０に記憶された全てのコンテンツに付与されるコンテンツ番号を示し、ユニークな番号である。その後、上記リスト中の全てのコンテンツにおいて、タイトル表示部３０に表示されたタイトルに対応するコンテンツ情報を抽出するとともに各コンテンツ情報を有するコンテンツの件数を集計する。上記コンテンツの件数からコンテンツ情報毎に表示態様を割り当て、図１１に示すようなタイトル別コンテンツ情報リストを作成する。タイトル別コンテンツ情報リスト中の「番号」は、上記リスト内のコンテンツ情報毎に付与されるコンテンツ情報の管理番号である。その後、上記タイトル別コンテンツ情報リストに基づいて表示領域の矩形を表示態様で表示するとともにカーソル３３を強調表示する。
【００６０】
さらに、制御部６は、カーソル移動モード時にＰＬＡＹキー１４を押下した際、カーソル３３の指し示す表示領域に割り当てられたコンテンツのタイトル表示部３０に表示されているタイトルのコンテンツ情報を有するコンテンツが割り当てられている全ての表示領域を強調表示する。その後、コンテンツ表示部３２に強調表示された表示領域のみを表示するか又は強調表示されていない表示領域のみを表示するかをＰＬＡＹキー１４及びＳＴＯＰキー１５の押下に基づいて行う。
【００６１】
図１０は、この発明の実施形態に係るポータブルオーディオプレーヤのコンテンツ選択モードの実施手順を示すフローチャートである。
【００６２】
図１０に示すように、操作者が所望する音楽コンテンツを選択するには、まずＭＯＤＥキー１７の押下によりコンテンツ選択モードを起動し（ｓ１）、初期設定を行う、例えば、モードをカーソル移動モード、タイトルを「アルバム名」、カーソル３３を現在の位置ままに設定し、選択対象コンテンツ情報リストの選択対象のコンテンツをメモリカード１０に記憶された全てのコンテンツとして選択対象コンテンツリストを作成する（ｓ２）。次に選択対象コンテンツ情報リストから、ｓ２で初期設定された又は操作者により選択されたタイトル表示部３０に表示されるタイトルに基づく各コンテンツのコンテンツ情報を抽出した後にタイトル別コンテンツ情報リストを作成し（ｓ３）、タイトル別コンテンツ情報リストに基づく表示態様で表示領域の矩形を表示する（ｓ４）。さらに、上記タイトルをタイトル表示部３０に表示し、カーソル３３を用いて選択された表示領域の上記タイトルのコンテンツ情報をコンテンツ情報表示部３１に表示し（ｓ５）、カーソル３３を強調表示する（ｓ６）。
【００６３】
例えば、図３のタイトル及びコンテンツ情報を用いた場合、ｓ２でタイトルを「アルバム名」として初期設定し、図１６に示すような選択対象コンテンツ情報リストを作成する。初期設定時は全コンテンツが選択対象となるので、図１６に示すような選択対象コンテンツ情報リストとなる。ｓ３で上記リストからタイトルである「アルバム名」の各コンテンツ情報を抽出し、図１１に示すようなタイトル別コンテンツ情報リストを作成する。ｓ４で図５に示すように、タイトル別コンテンツ情報リストに基づく表示態様で表示領域の矩形を表示し、ｓ５でタイトル表示部３０に「アルバム名」及びコンテンツ情報表示部３１にカーソル３３を用いて選択された表示領域のアルバム名に該当するコンテンツ情報「ＡＡＡ」を表示し、ｓ６でカーソル３３の強調表示を行う。
【００６４】
次に、キー入力されるの待ち（ｓ７）、ＲＥＷキー１２又はＦＦキー１３が押下された場合、カーソル３３の位置を降順又は昇順側に１表示領域分移動させ（ｓ８）、ｓ５へ戻る。また、ｓ７にてＤＩＳＰキー１６が押下された場合、タイトル選択モードに切り換え（ｓ９）、タイトル選択モード中であることがわかるように図１３に示すようにタイトル表示部３０及びコンテンツ情報表示部３１を強調表示し（ｓ１０）、キー入力されるのを待つ（ｓ１１）。ｓ１１にてＲＥＷキー１２又はＦＦキー１３が押下された場合、タイトル表示部に表示されたタイトルのタイトル番号から降順又は昇順側に１タイトル分移動させてタイトルを変更し（ｓ１２）、ｓ１０に戻る。また、ｓ１１にてＤＩＳＰキー１６が押下された場合、カーソル移動モードに切り換え（ｓ１３）、ｓ３に戻る。
【００６５】
例えば、上述の例において、図５に示す状態からｓ７にてＤＩＳＰキー１６が押下され、ｓ９でタイトル選択モードに切り換え、ＦＦキー１３を押下してｓ１０〜ｓ１２を３回繰り返して行った場合、ＦＦキー１３の押下によってｓ１２でタイトル番号を「アルバム名」のタイトル１から「分野１」を表すタイトル４に変更し、さらにｓ１０〜ｓ１３を実施した後にｓ３に戻りｓ３〜ｓ６を実施すると、図１３に示すように「分野１」の設定に対応した表示に変更される。
【００６６】
次に、ｓ７にてＰＬＡＹキー１４が押下された場合、カーソル３３を介して選択された表示領域のタイトル表示部３０に表示されたタイトルのコンテンツ情報を有する全ての表示領域の矩形を強調表示し（ｓ１４）、キー入力されるのを待つ（ｓ１５）。ｓ１５にてＤＩＳＰキー１６が押下された場合、表示領域の矩形の強調表示を解除し（ｓ１６）、ｓ５に戻る。ｓ１５にてＰＬＡＹキー１４が押下された場合、上記の強調表示した表示領域以外の表示領域を消去するとともに強調表示した表示領域のみを選択対象とした選択対象コンテンツ情報リストを作成し（ｓ１７）、ｓ３に戻る。また、ｓ１５にてＳＴＯＰキー１５が押下された場合、上記の強調表示された表示領域をディスプレイ３上から消去して強調表示されなかった表示領域のみを選択対象とした選択対象コンテンツ情報リストを作成し（ｓ１８）、ｓ３に戻る。
【００６７】
例えば、上述の例において、図１３に示された状態からＳ７でＰＬＡＹキー１４が押下された場合、図１４に示されるように、ｓ１４でコンテンツ情報に「Ｊ−ＰＯＰ」を有する表示領域を強調表示する。その後、ｓ１５でＤＩＳＰキー１６が押下されれば、図１３に示すように、ｓ１６で表示領域の矩形の強調表示が解除され、ＰＬＡＹキー１４が押下されれば、図１５に示すように、ｓ１７で「Ｊ−ＰＯＰ」のコンテンツ情報を有する表示領域のみ表示される。また、ＳＴＯＰキー１５が押下されると、ｓ１８にて「Ｊ−ＰＯＰ」のコンテンツ情報を有する表示領域以外の領域のみ表示される。
【００６８】
上記のコンテンツ選択モードの操作を繰り返し、操作者の所望する音楽コンテンツに絞り込んだ後、ＭＯＤＥキー１７を押下してプレイリスト登録モードに切り換えて登録を行う。また、プレイリストに登録されているコンテンツを削除する場合等の手順も、上記と同様の手順を用いて削除したいコンテンツの選択を行うことも可能であり、さらにサーバ６０の配信可能なコンテンツ群からダウンロードしたいコンテンツの選択を行う場合においても適用可能である。例えば、携帯パーソナルコンピュータ５１でサーバ６０から通信手段５を介してコンテンツをダウンロードする場合、サーバ６０からダウンロードした配信可能なコンテンツ群の各コンテンツのコンテンツ情報及びタイトルを用いて、コンテンツ選択モード時と同様の手順でダウンロードしたいコンテンツを選択する。その後、選択したコンテンツのみをサーバ６０からダウンロードする。
【００６９】
また、実際にコンテンツを選択する一例として、図４に示す「アルバム名」が「ＥＥＥ」で曲名が「ＥＥ１」の音楽コンテンツを選択する場合を説明する。まず、ＭＯＤＥキー１７の押下に基づいてコンテンツ選択モードが起動される。起動後は、タイトル（アルバム名）や図１６に示すような選択対象コンテンツ情報リストの作成等の初期設定が制御部６によって行われる。
【００７０】
次に、制御部６は、図５に示すように、初期設定された選択対象コンテンツ情報リスト及びタイトルである「アルバム名」に基づいて、各コンテンツのコンテンツ情報を抽出したコンテンツ情報から、図１１に示すようなタイトル別コンテンツ情報リストを作成した後、上記リストに基づいて表示領域の矩形の表示を行う。さらに、図５に示すように、タイトルの「アルバム名」及びカーソル３３を用いて選択された表示領域のコンテンツ情報である「ＡＡＡ」をタイトル表示部３０及びコンテンツ情報表示部３１に「アルバム名：ＡＡＡ」を表示するとともに、カーソル３３を強調表示する。
【００７１】
次に、ＤＩＳＰキー１６の押下に基づいて選択されたタイトル選択モードにおいて、ＦＦキー１３を３回押下することで、制御部６を介してタイトル表示部３０に表示するタイトルとして「分野１」を選択する。
【００７２】
ここで、タイトルの選択の基準は、より大きな分野で取捨選択し、順次小さな分野に選択範囲を切り換えてコンテンツの選択範囲を絞っていくと効率よく選択ができるが、メモリカード１０に記憶されたコンテンツの内容によりその条件が異なるため、どの分野から選択を開始するかは操作者の判断による。例えば、メモリカード１０に記憶されている全てのコンテンツの「演奏者名」のコンテンツ情報が全て同一である場合は、図３に示すタイトル４〜７までは、どのコンテンツのコンテンツ情報も等しくなる場合が多く、「アルバム名」からの選択が有効となるが、タイトルである演奏者名及び「分野１」がそれぞれ異なるコンテンツをメモリカード１０に記憶している場合は、タイトル４の分野１からの選択が有効となる。
【００７３】
上述の「分野１」のタイトルの選択後、制御部６は、上述した同様の手順で選択対象タイトル情報リスト及び「分野１」のタイトルから各コンテンツのコンテンツ情報を抽出し、図１２に示すようなタイトル別コンテンツ情報リストに基づいて表示領域の矩形を表示し、さらに図１３に示すようにタイトル表示部３０及びコンテンツ情報表示部３１の表示を「アルバム名：ＡＡＡ」から「分野１：Ｊ−ＰＯＰ」に変更する。
【００７４】
操作者が選択したいコンテンツの「分野１」のコンテンツ情報は「Ｊ−ＰＯＰ」であるので、ＤＩＳＰキー１６を押下して再びカーソル選択モードに切り換え、ＰＬＡＹキー１４を押下することで制御部６によって、「Ｊ−ＰＯＰ」をコンテンツ情報として有する表示領域のみが強調表示される。その後、再度ＰＬＡＹキー１４を押下することで制御部６によって、図１７に示すように「Ｊ−ＰＯＰ」をコンテンツ情報に有するコンテンツのみの選択対象コンテンツ情報リストが作成され、上記対象タイトル情報リストと「分野１」のタイトルから「Ｊ−ＰＯＰ」をコンテンツ情報として有する各コンテンツのコンテンツ情報が抽出された後にタイトル別コンテンツ情報リストが作成され、図１５に示すように「Ｊ−ＰＯＰ」をコンテンツ情報として有する表示領域のみが表示される。
【００７５】
上記と同様の手順を繰り返し、ＤＩＳＰキー１６を押下してタイトル選択モードでタイトルを「アルバム名」に設定し、カーソル選択モードでＲＥＷキー１２、ＦＦキー１３を押下することでカーソル３３を移動させ、「アルバム名」が「ＥＥＥ」である表示領域をＰＬＡＹキー１４を押下して選択するとともに「ＥＥＥ」のコンテンツ情報を有する表示領域のみを表示させる。次に再びタイトル選択モードでタイトルに「曲名」を設定し、カーソル選択モードでカーソル３３を移動させて「曲名」が「ＥＥ１」の表示領域を選択する。
【００７６】
以上の構成のように、この発明の実施形態に係るポータブルオーディオプレーヤ１では、コンテンツ情報及びタイトルが各コンテンツ毎にメモリカード１０に記憶される。
【００７７】
また、コンテンツ選択モード時に、メモリカード１０に記憶された全てのコンテンツ毎に個別に割り当てられた表示領域が択一的に選択自在に表示されるコンテンツ表示部３１と、コンテンツ表示部３１における各表示領域の峻別に用いられる単一のコンテンツ情報のタイトルが変更自在に表示されるタイトル表示部３０と、コンテンツ表示部３１において選択された表示領域に対応するコンテンツのコンテンツ情報のうちタイトル表示部３０に表示されているタイトルのコンテンツ情報を表示するコンテンツ情報表示部３１と、を含む選択画面を作成し、さらにタイトル表示部３０に表示するタイトルの選択操作が受け付けられ、コンテンツ表示部３２の各表示領域をタイトル表示部３１に表示しているタイトルのコンテンツ情報毎に異なる表示態様で表示する。
【００７８】
これによって、選択された表示領域に対応するコンテンツのコンテンツ情報のうちタイトル表示部に表示されているタイトルのコンテンツ情報をコンテンツ情報表示部３１に表示するので、選択された表示領域の上記タイトルのコンテンツ情報の内容をすぐに操作者が認識できる。また、タイトル表示部に表示されているタイトルのコンテンツ情報毎に異なる表示態様で各表示領域を表示するので、操作者の所望するコンテンツが上記コンテンツ情報を有している場合、上記選択された表示領域の表示態様で表示されている表示領域のみに選択範囲を限定することができる。一方、操作者が所望するコンテンツが上記コンテンツ情報を有していない場合、上記選択された表示領域の表示態様以外の表示態様で表示されている表示領域のみに選択範囲を限定できる。
【００７９】
これによって、コンテンツの選択範囲を狭くでき、コンテンツ選択の効率を向上できるので、コンテンツの選択時間を短くすることができ、操作者の負担を軽減することができる。
【００８０】
また、通信手段５及びメモリカード１０を有する記憶部２と同様の手段を有する携帯パーソナルコンピュータ５１等で、コンテンツとともにコンテンツ情報及びタイトルをサーバ６０から通信手段５を介して記憶したメモリカード１０を通信手段５を有しないポータブルオーディオプレーヤ１にも装着することができるので、操作者がコンテンツを録音したり、コンテンツ情報等を設定する必要がなくなり、操作者の負担をより軽減することができる。
【００８１】
さらに、コンテンツ情報表示部３１に表示されているコンテンツ情報を有するコンテンツが割り当てられている表示領域のみ又はそれ以外の表示領域のみをコンテンツ表示部３２に択一的に選択自在に表示でき、操作者の所望するコンテンツが属する表示領域のみを選択・表示できるので、コンテンツの選択範囲の限定が可能で、コンテンツ選択の効率をより向上させられるため、コンテンツの選択時間をより短縮でき、操作者の負担を軽減することができる。
【００８２】
なお、この発明のポータブルオーディオプレーヤ１は通信手段５を具備していないが、特にこれに限定されるものではなく、通信手段５を有するものについても、装置本体の通信手段５を介してサーバ６０からコンテンツ等をメモリカード１０に記憶できるので上記と同様の効果を得ることができる。
【００８３】
一方、この発明の実施形態では、サーバ６０からコンテンツ、コンテンツ情報、タイトルの情報を取得しているが、特にこれに限定されるものではない。例えば、撮像機能を有するディジタルカメラは、図１８に示すように、撮像部７０で撮像された画像をコンテンツの画像データとしてメモリカード１０に記憶し、コンテンツ情報やタイトルの情報の設定入力を受け付ける図示しない手段を設けて操作者が各コンテンツにおけるコンテンツ情報等をメモリカード１０に記憶させても同様の効果を得ることができる。またディジタルカメラ等のコンテンツを構成する画像データを表示手段に表示する携帯再生装置においては、上記選択画面内に画像データを表示する画像表示領域を設けてもよい。画像表示領域を設けることによって画像データの内容を確認できるので、コンテンツの選択時間をより短縮することができる。例えば、図１９に示すようにカーソル３３を介して選択された表示領域のコンテンツの画像データを縮小表示する縮小画像表示領域３４をディスプレイ３上に設ける。
【００８４】
また、この発明の実施形態では記憶手段としてメモリカード１０を用いているが、特にこれに限らずハードディスク、ＭＤ（ミニディスク）、ＣＤ−Ｒ等の追記型、書換可能型の記録媒体を有する記憶手段や、ＣＤ、ＤＶＤ等の書込不可の記録媒体を有する記憶手段であってもタイトル及びコンテンツ情報が記憶されているものであれば、この発明の実施形態と同様の効果を得ることができる。
【００８５】
なお、この発明は、ポータブルオーディオプレーヤに限らず、オーディオプレーヤ、ディジタルカメラ、情報処理端末等の携帯再生装置に適用可能である。
【００８６】
【発明の効果】
この発明によれば、以下の効果を奏することができる。
【００８７】
（１）コンテンツの選択時に、選択された表示領域に対応するコンテンツのコンテンツ情報のうちタイトル表示部に表示されているタイトルのコンテンツ情報をコンテンツ情報表示部で表示するので、選択された表示領域の上記タイトルのコンテンツ情報の内容をすぐに操作者が認識できる。
【００８８】
また、タイトル表示部に表示されているタイトルのコンテンツ情報毎に異なる表示態様で各表示領域を表示するので、操作者が所望するコンテンツが上記コンテンツ情報を有している場合、上記選択された表示領域の表示態様で表示されている表示領域のみに選択範囲を限定することができる。一方、操作者が所望するコンテンツが上記コンテンツ情報を有していない場合、上記選択された表示領域の表示態様以外の表示態様で表示されている表示領域のみに選択範囲を限定できる。
【００８９】
これによって、コンテンツの選択範囲を狭くでき、コンテンツ選択の効率を向上できるので、コンテンツの選択時間を短縮でき、操作者の負担を軽減することができる。
【００９０】
（２）コンテンツの選択時に、コンテンツ情報表示部に表示されているコンテンツ情報を有するコンテンツが割り当てられている表示領域のみ又はそれ以外の表示領域のみをコンテンツ表示部に択一的に選択自在にして表示することによって、操作者の所望するコンテンツが属する表示領域のみを選択・表示できるので、コンテンツの選択範囲の限定が可能で、コンテンツ選択の効率をより向上させられるため、コンテンツの選択時間をより短縮でき、操作者の負担を軽減することができる。
【００９１】
（３）画像データで構成されるコンテンツの選択時に、選択された表示領域に対応するコンテンツの画像データを表示手段に上記選択画面とともに表示することによって、上記選択された表示領域のコンテンツの内容を操作者が認識し易くなり、コンテンツ選択の効率をより向上でき、操作者が所望するコンテンツを選択する時間をより短縮できるので、操作者の負担を軽減することができる。
【００９２】
（４）装置本体に備えられた撮像手段によって撮像された画像データをコンテンツとして記憶手段に記憶することによって、コンテンツの選択時に、選択された表示領域に対応する撮像された画像のコンテンツを表示手段に上記選択画面とともに表示するので、上記選択された表示領域のコンテンツの内容を操作者が認識し易くなり、コンテンツ選択の効率がより向上して、操作者が所望するコンテンツを選択する時間をより短縮できるので、操作者の負担を軽減することができる。
【００９３】
（５）装置本体に備えられた通信手段を介してサーバからダウンロードしたコンテンツ、コンテンツ情報及びタイトルを記憶手段に記憶することによって、ダウンロードするコンテンツとともに上記コンテンツに対応する適切なコンテンツ情報及びタイトルもダウンロードできるので、コンテンツ情報及びタイトルを作成する必要がなくなり、操作者の負担をより軽減することができる。
【００９４】
（６）装置本体から着脱自在な記憶手段に、前記コンテンツ、コンテンツ情報及びタイトルを記憶することによって、他の装置でも上記記憶手段の使用が可能となり、コンテンツを取得する手段を有しない携帯再生装置であっても、あらかじめ他の装置でコンテンツ、コンテンツ情報及びタイトルを記憶した記憶手段を装着することでコンテンツを再生することができる。これにより、コンテンツ、コンテンツ情報及びタイトルを作成する必要がなくなり、操作者の負担をより軽減することができる。
【００９５】
（８）ネットワークを介してサーバからダウンロードしたコンテンツを再生する受信システムに、（５）又は（６）に記載の携帯再生装置を含み、また各コンテンツとともにサーバからダウンロードしたコンテンツ情報及びタイトルを記憶手段に記憶することによって、（５）に記載の通信手段を有する携帯再生装置において、ダウンロードするコンテンツとともに上記コンテンツに対応する適切なコンテンツ情報及びタイトルもダウンロードできるので、コンテンツ情報及びタイトルを作成する必要がなくなり、操作者の負担をより軽減することができる。また、（６）に記載の装置から着脱自在な記憶手段を有する携帯再生装置において、他の装置でも上記記憶手段の使用が可能となり、コンテンツを取得する手段を有しない携帯再生装置であっても、あらかじめ他の装置でコンテンツ、コンテンツ情報及びタイトルを記憶した記憶手段を装着することでコンテンツを再生することができる。これにより、コンテンツ、コンテンツ情報及びタイトルを作成する必要がなくなり、操作者の負担をより軽減することができる。
【図面の簡単な説明】
【図１】この発明の実施形態に係るポータブルオーディオプレーヤの外観図でである。
【図２】同ポータブルオーディオプレーヤへ音楽コンテンツを配信する受信システムを示す図である。
【図３】同ポータブルオーディオプレーヤの各コンテンツのタイトル毎のコンンテンツ情報を示す図である。
【図４】同ポータブルオーディオプレーヤのディスプレイの表示を示す図である。
【図５】同ポータブルオーディオプレーヤのディスプレイの表示を示す図である。
【図６】同ポータブルオーディオプレーヤのディスプレイの表示を示す図である。
【図７】同ポータブルオーディオプレーヤのディスプレイの表示を示す図である。
【図８】同ポータブルオーディオプレーヤのディスプレイの表示を示す図である。
【図９】同ポータブルオーディオプレーヤの制御系統を示すブロック図である。
【図１０】同ポータブルオーディオプレーヤのコンテンツ選択モードの実施手順を示すフローチャートである。
【図１１】同ポータブルオーディオプレーヤのタイトル別コンテンツ情報リストを示す図である。
【図１２】同ポータブルオーディオプレーヤのタイトル別コンテンツ情報リストを示す図である。
【図１３】同ポータブルオーディオプレーヤのディスプレイの表示を示す図である。
【図１４】同ポータブルオーディオプレーヤのディスプレイの表示を示す図である。
【図１５】同ポータブルオーディオプレーヤのディスプレイの表示を示す図である。
【図１６】同ポータブルオーディオプレーヤの選択対象コンテンツ情報リストを示す図である。
【図１７】同ポータブルオーディオプレーヤの選択対象コンテンツ情報リストを示す図である。
【図１８】ディジタルカメラの制御系統を示すブロック図である。
【図１９】ディジタルカメラのディスプレイの表示を示す図である。
【符号の説明】
１−ポータブルオーディオプレーヤ
２−記憶部
３−ディスプレイ
４−操作手段
５−通信手段
６−制御部
１０−メモリカード
１１−リムーバブル型機器
１８−ヘッドホン
３０−タイトル表示部
３１−コンテンツ情報表示部
３２−コンテンツ表示部
３３−カーソル
６０−サーバ
７０−撮像部
【図１】
2004145388.tif 000003
【図２】
2004145388.tif 000004
【図３】
2004145388.tif 000005
【図４】
2004145388.tif 000006
【図５】
2004145388.tif 000007
【図６】
2004145388.tif 000008
【図７】
2004145388.tif 000009
【図８】
2004145388.tif 000010
【図９】
2004145388.tif 000011
【図１０】
2004145388.tif 000012
【図１１】
2004145388.tif 000013
【図１２】
2004145388.tif 000014
【図１３】
2004145388.tif 000015
【図１４】
2004145388.tif 000016
【図１５】
2004145388.tif 000017
【図１６】
2004145388.tif 000018
【図１７】
2004145388.tif 000019
【図１８】
2004145388.tif 000020
【図１９】
2004145388.tif 000021